(57)【特許請求の範囲】
【請求項１】
切り欠き凹部が形成されている相対する長側壁と相対する短側壁と底部とを有するとともに、相対する短側壁の下部に、それぞれ、短側壁の上端部が挿入可能な嵌合凹部を形成し、且つ、少なくとも、何方か一方の嵌合凹部の内壁面に規制リブを形成したことを特徴とする箱型容器。
【発明の詳細な説明】
【０００１】
【発明の属する技術分野】
本発明は、種々の物品を収納し、運搬、保管するための長側壁に切り欠き凹部が形成された箱型容器に関するものである。
【０００２】
【従来の技術】
図６及び図７を用いて、一例としての従来の箱型容器について説明する。
【０００３】
平面形状が長方形状の箱型容器Ｃは、相対する長側壁１と相対する短側壁２と底部３とから構成されており、長側壁１には、長側壁１のほぼ全幅に亘たって、切り欠き凹部１ａが形成されており、長側壁１の高さは、短側壁２の高さの略半分に形成されている。底部３には、その周縁に沿って底部３を囲むように、垂直枠３ａが形成されている。また、短側壁２の外壁面の下端からは、水平方向に延びる水平部２ａが形成されており、該水平部２ａの先端からは、下方に垂直に、底部３の垂直枠３ａの下端と同じ位置まで延びる垂直部２ｂが形成されている。そして、上記水平部２ａと垂直部２ｂと底部３の垂直枠３ａとにより、短側壁２に沿って、下方が開口した嵌合凹部４が形成されている。
【０００４】
短側壁２の上端から少し下がった短側壁２の外壁面には、水平方向に延びる上部水平リブ２ｃが形成されており、短側壁２の上部水平リブ２ｃより上の部分の高さｈは、嵌合凹部４の深さｄと同じか、若干、小さくなるように構成されている。なお、５及び６は、上部水平リブ２ｃと短側壁２の外壁面の下端から水平方向に延びる水平部２ａとの間の短側壁２の外壁面に形成された適当数の中間水平リブ及び垂直リブである。なお、長側壁１の外壁面にも、適宜、水平リブ１ｂや垂直リブ１ｃが、適宜、形成されている。
【０００５】
上述した箱型容器Ｃは、図７に示されているように、下の箱型容器Ｃｂの短側壁２の上端部が、上の箱型容器Ｃｕの嵌合凹部４に挿入されるようにして、多数、段積みされるように構成されている。
【０００６】
【発明が解決しようとする課題】
上述した箱型容器Ｃにおいては、図７に示されているように、下の箱型容器Ｃｂの短側壁２の上端部に、上の箱型容器Ｃｕの嵌合凹部４を挿入する段積み作業の作業性を向上するために、両方の嵌合凹部４の溝幅ｗを、共に、短側壁２の厚さｔより、相当広くしている。通常は、嵌合凹部４の溝幅ｗは、短側壁２の厚さｔの２．５〜５．０倍程度に形成されている。従って、上の箱型容器Ｃｕが、下の箱型容器Ｃｂに対して、大きく水平方向に大きく移動することになり、多数の箱型容器Ｃを段積みした際には、段積みされた上方の箱型容器Ｃｕが傾斜し、崩れるという問題があった。
【０００７】
本発明の目的は、上述した従来の箱型容器が有する課題を解決した箱型容器を提供することにある。
【０００８】
【課題を解決するための手段】
本発明は、上述した目的を達成するために、切り欠き凹部が形成されている相対する長側壁と相対する短側壁と底部とを有するとともに、相対する短側壁の下部に、それぞれ、短側壁の上端部が挿入可能な嵌合凹部を形成し、且つ、少なくとも、何方か一方の嵌合凹部の内壁面に規制リブを形成したものである。
【０００９】
【実施例】
以下に、本発明の実施例について説明するが、本発明の趣旨を越えない限り何ら、本実施例に限定されるものではない。なお、以下に説明する嵌合凹部４の構成以外の構成については、上述した従来の箱型容器Ｃと同じであるので、その詳細な説明は省略するとともに、同じ符号を使用した。
【００１０】
図１及び図２に示されている実施例においては、短側壁２の外壁面の下端から水平方向に延びる水平部２ａと、該水平部２ａの先端から下方に垂直に、底部３の垂直枠３ａの下端と同じ位置まで延びる垂直部２ｂと、底部３の垂直枠３ａとからなる、相対する短側壁２の下部に形成された一対の嵌合凹部４の何方か一方の嵌合凹部４の垂直部２ｂの嵌合凹部４側の内壁面２ｂ’に、逆三角形状の規制リブＲを形成したものである。この逆三角形状の規制リブＲは、所定の間隔をおいて、少なくとも、２個形成されており、そして、少なくとも、嵌合凹部４の両端部付近に形成されていることが好ましい。
【００１１】
図２に示されているように、下の箱型容器Ｃｂの短側壁２の上端部を、上の箱型容器Ｃｕの嵌合凹部４に挿入するように段積みすると、上の箱型容器Ｃｕの一対の嵌合凹部４の一方の嵌合凹部４（図１及び図２の右側に位置する嵌合凹部４）には、規制リブＲが形成されているので、下の箱型容器Ｃｂの短側壁２の上端が、上の箱型容器Ｃｕの一方の嵌合凹部４に形成された規制リブＲに当接し、下の箱型容器Ｃｂに対して、上の箱型容器Ｃｕが、常に、一定した位置に移動するとともに、段積みされた後にも、上の箱型容器Ｃｕの一方の嵌合凹部４に形成された規制リブＲにより、下の箱型容器Ｃｂに対して、上の箱型容器Ｃｕの水平方向の移動量が、上述した従来の段積みに比べて、少なくなるので、多数の箱型容器Ｃを段積みした際に、段積みされた上方の箱型容器Ｃの傾斜が少なく、従って、従来の段積みに比べて、より多くの箱型容器Ｃを、安定した状態に段積みすることができる。
【００１２】
なお、上述した規制リブＲは、嵌合凹部４を構成する底部３の垂直枠３ａの嵌合凹部４側の内壁面３ａ’に形成することもできる。
【００１３】
図３に示された実施例は、相対する短側壁２の下方に形成された一対の嵌合凹部４の両方の嵌合凹部４の垂直部２ｂの嵌合凹部４側の内壁面２ｂ’に、逆三角形状の規制リブＲを形成したものである。この場合にも、左側に位置する嵌合凹部４に形成された規制リブＲは、所定の間隔をおいて、少なくとも、２個形成されており、少なくとも、嵌合凹部４の両端部付近に形成されていることが好ましい。
【００１４】
上述したように、一対の嵌合凹部４の両方の嵌合凹部４の垂直部２ｂの嵌合凹部４側の内壁面２ｂ’に、逆三角形状の規制リブＲを形成することにより、下の箱型容器Ｃｂの短側壁２の上端部を、上の箱型容器Ｃｕの嵌合凹部４に挿入するように段積みした際に、上の箱型容器Ｃｕの一対の嵌合凹部４の両方の嵌合凹部４には、規制リブＲが形成されているので、下の箱型容器Ｃｂの相対する短側壁２の上端が、上の箱型容器Ｃｕの両方の嵌合凹部４に形成された規制リブＲに当接し、下の箱型容器Ｃｂに対して、上の箱型容器Ｃｕが、ほぼその中心線が一致するように移動するとともに、段積みされた後にも、上の箱型容器Ｃｕの両方の嵌合凹部４に形成された規制リブＲにより、下の箱型容器Ｃｂに対して、上の箱型容器Ｃｕの水平方向の移動量が、上述した従来の段積みに比べて、少なくなるので、多数の箱型容器Ｃを段積みした際に、段積みされた上方の箱型容器Ｃの傾斜が少なく、従って、従来の段積みに比べて、より多くの箱型容器Ｃを、安定した状態に段積みすることができる。
【００１５】
図４に示されている実施例は、相対する短側壁２の下部に形成された一対の嵌合凹部４の何方か一方の嵌合凹部４を構成する垂直部２ｂ及び底部３の垂直枠３ａの両方の嵌合凹部４側の内壁面２ｂ’、３ａ’に、逆三角形状の規制リブＲを形成したものである。この逆三角形状の規制リブＲは、所定の間隔をおいて、少なくとも、２個形成されており、そして、少なくとも、嵌合凹部４の両端部付近に形成されていることが好ましい。
【００１６】
図５に示されている実施例は、相対する短側壁２の下方に形成された一対の嵌合凹部４の両方の嵌合凹部４に、図４に示されているように、嵌合凹部４を構成する垂直部２ｂ及び底部３の垂直枠３ａの両方の嵌合凹部４側の内壁面２ｂ’、３ａ’に、規制リブＲを形成したものである。
【００１７】
上述した実施例においては．規制リブＲが、逆三角形状に形成されているが、下の箱型容器Ｃｂの短側壁２の上端が、上の箱型容器Ｃｕの嵌合凹部４に形成された規制リブＲに当接し、下の箱型容器Ｃｂに対して、上の箱型容器Ｃｕが、一定した位置に移動するとともに、段積みされた後にも、上の箱型容器Ｃｕの嵌合凹部４に形成された規制リブＲ１により、下の箱型容器Ｃｂに対して、上の箱型容器Ｃｕの水平方向の移動量が、上述した従来の段積みに比べて、少なくなるような作用を有するものであれば、逆三角形に限定されるものではなく、半円形状のものや、下面に傾斜面を有する方形状のもの等、種々の形状に形成することができる。
【００１８】
【発明の効果】
本発明は、以上説明したように構成されているので、以下に記載の効果を奏するものである。
【００１９】
箱型容器を段積みした際に、下の箱型容器に対して、上の箱型容器の水平方向の移動量が、従来の箱型容器の段積みに比べて小さいので、段積みされた上方の箱型容器の傾斜が少なく、従って、従来の段積みに比べて、より多くの箱型容器を、安定した状態で段積みすることができる。
【図面の簡単な説明】
【図１】図１は本発明の箱型容器の長側壁に沿った垂直断面図である。
【図２】図２は本発明の２つの箱型容器が段積みされた状態の長側壁に沿った垂直断面図である。
【図３】図３は本発明の別の実施例の箱型容器の長側壁に沿った垂直断面図である。
【図４】図４は本発明の更に別の実施例の箱型容器の長側壁に沿った垂直断面図である。
【図５】図５は本発明の更にまた別の実施例の箱型容器の長側壁に沿った垂直断面図である。
【図６】図６は従来の箱型容器の斜視図である。
【図７】図７は従来の２つの箱型容器が段積みされた状態の長側壁に沿った垂直断面図である。
【符号の説明】
Ｃ・・・・・・・・・・・・箱型容器
Ｒ・・・・・・・・・・・・規制リブ
１・・・・・・・・・・・・長側壁
１ａ・・・・・・・・・・・切り欠き凹部
２・・・・・・・・・・・・短側壁
３・・・・・・・・・・・・底部
４・・・・・・・・・・・・嵌合凹部
【図１】
0004077944.tif 000002
【図２】
0004077944.tif 000003
【図３】
0004077944.tif 000004
【図４】
0004077944.tif 000005
【図５】
0004077944.tif 000006
【図６】
0004077944.tif 000007
【図７】
0004077944.tif 000008